(57)【要約】【課題】不用意な操作部材の回転操作による設定ミスや目視せずに操作部材を回転操作する場合の設定ミスを回避することができるとともに、操作性にも優れた回転操作機構を備える電子機器を提供する。【解決手段】電子機器の回転操作機構は、回転操作可能とされ、回転操作方向に複数のクリック用凹部１３を有する操作部材９と、クリック用凹部１３に係合すると係合部材１４と、係合部材１４をクリック用凹部１３に向けて付勢する付勢部材１５と、を有し、操作部材９を回転操作することで、係合部材１４が付勢部材１５の付勢力に抗してクリック用凹部１３から離脱し、離脱した係合部材１４が互いに隣り合うクリック用凹部１３の間を乗り越えて隣のクリック用凹部１３に付勢部材１５の付勢力により係合する。そして、複数のクリック用凹部１３の一つのクリック用凹部１３における操作部材９の回転操作方向に互いに対向する各面のうちの一方の面に、操作部材９の一方向のみの回転操作を規制する規制面１６を形成する。【選択図】図７
2013072941.tif 000002
【特許請求の範囲】
【請求項１】
回転操作可能とされ、回転操作方向に複数のクリック用凹部を有する操作部材と、
前記クリック用凹部に係合すると係合部材と、
前記係合部材を前記クリック用凹部に向けて付勢する第１付勢部材と、を有し、
前記操作部材を回転操作することで、前記係合部材が前記第１付勢部材の付勢力に抗して前記クリック用凹部から離脱し、離脱した前記係合部材が互いに隣り合う前記クリック用凹部の間を乗り越えて隣のクリック用凹部に前記第１付勢部材の付勢力により係合する回転操作機構を備える電子機器であって、
複数の前記クリック用凹部の少なくとも一つの前記クリック用凹部における前記操作部材の回転操作方向に互いに対向する各面のうちの一方の面に、前記操作部材の一方向のみの回転操作を規制する規制面を形成したことを特徴とする電子機器。
【請求項２】
前記規制面、及び前記規制面を有する前記クリック用凹部の前記規制面の側に配置される隣の前記クリック用凹部の前記操作部材の回転操作方向に互いに対向する各面のうちの前記規制面の側の面を前記操作部材と別体の規制部材に形成し、
前記規制部材は、第２付勢部材により、前記第１付勢部材の付勢方向と反対方向に付勢され、前記第２付勢部材の付勢力は、前記第１付勢部材の付勢力よりも弱く設定されることを特徴とする請求項１に記載の電子機器。
【請求項３】
前記係合部材がボールであり、前記規制面の高さは、前記ボールの中心、或いは前記ボールの中心を越える高さとされている、ことを特徴とする請求項１又は２に記載の電子機器。
【発明の詳細な説明】
【技術分野】
【０００１】
本発明は、回転操作機構を備えるデジタルカメラ等の電子機器に関する。
【背景技術】
【０００２】
デジタルカメラ等の電子機器では、機能や撮影条件を設定するための回転操作機構を備えるものがある。ところで、近年、機能や撮影条件の増加により、回転操作機構の操作部材の全周にわたって設定値表示が割り当てられることが多い。このため、操作部材の互いに隣り合う設定値表示間の間隔が狭くなり、不用意に操作部材を回転操作してしまった場合や目視せずに操作部材を回転操作する場合に、所望とは異なる設定となってしまうことがある。特に撮影条件や機能が大きく異なる設定値表示同士が互いに隣り合う場合は、上記のような設定ミスを防ぐ必要がある。
【０００３】
そこで、第１の従来例として、回転操作機構の操作部材に各設定値表示に対応したクリック用凹部を設け、バネに付勢されたボールをクリック用凹部に係合させることにより、各設定値表示の位置で操作部材を停止しやすくした技術が提案されている。
【０００４】
また、第２の従来例として、操作部材が３６０°回転できないようにするストッパを回転操作機構に設けることで、撮影条件や機能が大きく異なる設定値表示間の間隔が狭い場合に、この間隔での操作部材の操作ができないようにした技術が提案されている。
【０００５】
さらに、第３の従来例として、回転操作機構のクリックトルクを正回転と逆回転で異なるトルクに設定する手段を設けた技術が提案されている（特許文献１）。
【先行技術文献】
【特許文献】
【０００６】
【特許文献１】特開２００４−０８５８４５号公報
【発明の概要】
【発明が解決しようとする課題】
【０００７】
しかし、上記第１の従来例では、操作部材に設けたクリック用凹部の形状が全周にわたって同形状であるため、どの設定値表示の位置に操作しても同じクリック感となる。そのため、不用意に操作部材を回転操作してしまった場合や目視せずに操作部材を回転操作する場合に、設定ミスに気づかない場合がある。
【０００８】
また、上記第２の従来例では、撮影条件や機能が大きく異なる設定値表示間で素早く設定値表示を切換えたい場合に、操作部材を約一周回転させなければならず、操作部材の操作性が悪い。
【０００９】
さらに、上記第３の従来例では、逆回転方向及び正回転方向のそれぞれの方向について、どの設定値表示の位置に操作部材を操作しても同じクリック感となる。このため、上記第１の従来例と同様に、不用意に操作部材を回転操作してしまった場合や目視せずに操作部材を回転操作する場合に、設定ミスに気づかない場合がある。
【００１０】
そこで、本発明は、不用意な操作部材の回転操作による設定ミスや目視せずに操作部材を回転操作する場合の設定ミスを回避することができるとともに、操作性にも優れた回転操作機構を備える電子機器を提供することを目的とする。
【課題を解決するための手段】
【００１１】
上記目的を達成するために、本発明の電子機器は、回転操作可能とされ、回転操作方向に複数のクリック用凹部を有する操作部材と、前記クリック用凹部に係合すると係合部材と、前記係合部材を前記クリック用凹部に向けて付勢する第１付勢部材と、を有し、前記操作部材を回転操作することで、前記係合部材が前記第１付勢部材の付勢力に抗して前記クリック用凹部から離脱し、離脱した前記係合部材が互いに隣り合う前記クリック用凹部の間を乗り越えて隣のクリック用凹部に前記第１付勢部材の付勢力により係合する回転操作機構を備える電子機器であって、複数の前記クリック用凹部の少なくとも一つの前記クリック用凹部における前記操作部材の回転操作方向に互いに対向する各面のうちの一方の面に、前記操作部材の一方向のみの回転操作を規制する規制面を形成したことを特徴とする。
【発明の効果】
【００１２】
本発明によれば、不用意な操作部材の回転操作による設定ミスや目視せずに操作部材を回転操作する場合の設定ミスを回避することができるとともに、操作性にも優れた回転操作機構を備える電子機器を提供することができる。
【図面の簡単な説明】
【００１３】
【図１】（ａ）は本発明の電子機器の第１の実施形態であるデジタルカメラを正面側（被写体側）から見た斜視図、（ｂ）は（ａ）に示すデジタルカメラを背面側から見た斜視図である。
【図２】（ａ）はＩＳＯダイアルの平面図、（ｂ）は（ａ）を裏面側から見た斜視図である。
【図３】ＩＳＯダイアルを含む回転操作機構の分解斜視図である。
【図４】図３の矢印Ａ方向の断面図である。
【図５】（ａ）はＩＳＯダイアルのＡＵＴＯの設定値表示がカメラ本体の設定用目印１ａの位置に一致するようにＩＳＯダイアルを回転操作した状態を示す平面図、（ｂ）は（ａ）のＡ−Ａ線断面図である。（ｃ）は、（ａ）の状態でのＩＳＯダイアルの一部を破断した斜視図である。
【図６】（ａ）はＩＳＯダイアルの回転操作によりＡＵＴＯとＩＳＯ３２００との中間部分がカメラ本体の設定用目印の位置に達した状態を示す平面図、（ｂ）は（ａ）のＢ−Ｂ線断面図、（ｃ）は（ａ）の状態でのＩＳＯダイアルの一部を破断した斜視図である。
【図７】（ａ）はＩＳＯダイアルの回転操作によりＩＳＯ３２００の設定値表示がカメラ本体の設定用目印の位置に一致した状態を示す平面図、（ｂ）は（ａ）のＣ−Ｃ線断面図、（ｃ）は（ａ）の状態でのＩＳＯダイアルの一部を破断した斜視図である。
【図８】本発明の電子機器の第２の実施形態であるデジタルカメラにおけるＩＳＯダイアルの分解斜視図である。
【図９】（ａ）はＩＳＯダイアルの平面図、（ｂ）は（ａ）のＤ−Ｄ線断面図、（ｃ）は（ａ）のＥ−Ｅ線断面図である。
【図１０】（ａ）はＩＳＯダイアルのＡＵＴＯの設定値表示がカメラ本体の設定用目印の位置に一致するようにＩＳＯダイアルを回転操作した状態を示す平面図、（ｂ）は（ａ）のＦ−Ｆ線断面図である。（ｃ）は、（ａ）の状態でのＩＳＯダイアルの一部を破断した斜視図である。
【図１１】（ａ）はＩＳＯダイアルの回転操作によりＡＵＴＯとＩＳＯ３２００との中間部分がカメラ本体の設定用目印の位置に達した状態を示す平面図、（ｂ）は（ａ）のＧ−Ｇ線断面図、（ｃ）は（ａ）の状態でのＩＳＯダイアルの一部を破断した斜視図である。
【図１２】（ａ）はＩＳＯダイアルの回転操作によりＩＳＯ３２００の設定値表示がカメラ本体の設定用目印の位置に一致した状態を示す平面図、（ｂ）は（ａ）のＨ−Ｈ線断面図、（ｃ）は（ａ）の状態でのＩＳＯダイアルの一部を破断した斜視図である。
【発明を実施するための形態】
【００１４】
以下、本発明の実施形態を図面を参照して説明する。
【００１５】
（第１の実施形態）
図１（ａ）は本発明の電子機器の第１の実施形態であるデジタルカメラを正面側（被写体側）から見た斜視図、図１（ｂ）は図１（ａ）に示すデジタルカメラを背面側から見た斜視図である。
【００１６】
本実施形態のデジタルカメラは、図１に示すように、カメラ本体１の正面側に、レンズ鏡筒２、光学ファインダ３、及びストロボユニット４が設けられる。カメラ本体１の上面側には、レリーズボタン５、ズームレバー６、電源ボタン７、モードダイアル８、及びＩＳＯダイアル９が設けられ、カメラ本体１の背面側には、液晶表示部１０、操作ダイアル１１、及び操作ボタン１２が設けられている。ここで、ＩＳＯダイアル９は、本発明の回転操作可能な操作部材の一例に相当する。
【００１７】
図２（ａ）はＩＳＯダイアル９の平面図、図２（ｂ）は図２（ａ）を裏面側から見た斜視図である。
【００１８】
図２（ａ）に示すように、ＩＳＯダイアル９には、複数のＩＳＯ感度の設定値表示が全周にわたって円周方向に略等間隔で配置されている。そして、ＩＳＯダイアル９の所望の設定値表示をカメラ本体１のＩＳＯダイアル９の外周側に形成された設定用目印１ａ（図５参照）の位置に回転操作することで、設定値表示に対応するＩＳＯ感度に設定することができる。
【００１９】
本実施形態では、ＩＳＯダイアル９の複数のＩＳＯ感度の設定値表示のうち、撮影環境に適したＩＳＯ感度に自動設定を行うＡＵＴＯの設定値表示と最高ＩＳＯ感度であるＩＳＯ３２００の設定値表示とが狭い間隔で互いに隣り合って配置されている。ＡＵＴＯの場合、一般撮影環境下では、ＩＳＯ１００〜８００の間で設定されることが多く、隣のＩＳＯ３２００とは撮影条件が大きく異なる。
【００２０】
図３はＩＳＯダイアル９を含む回転操作機構の分解斜視図であり、図４は図３の矢印Ａ方向の断面図である。
【００２１】
回転操作機構は、ＩＳＯダイアル９の回転位置を検出する回転位置検出部、及びＩＳＯダイアル９の回転操作時にユーザにクリック感を付与するクリック機構部を備える。
【００２２】
回転位置検出部は、ＩＳＯダイアル９の裏面側にねじ２５等で固定される摺動子ホルダ２４と、摺動子ホルダ２４の裏面側に熱溶着等で固定される摺動子２６と、摺動子２６の裏面側に配置される基板２７に同心円上に形成される導電パターン２８とを有する。ＩＳＯダイアル９、摺動子ホルダ２４、及び摺動子２６は一体で回転可能とされている。
【００２３】
摺動子２６には、バネ性を有する４本の接片が設けられ、各接片は、基板２７上の導電パターン２８に電気的に接触する。導電パターン２８は、略３６０°にわたって形成されたグランドパターンと、５ビットのエンコード信号に対応した５つの信号パターンとから構成されている。
【００２４】
摺動子２６の４本の接片がそれぞれ異なる信号パターンに接触することで５ビットのエンコード信号が得られる。そして、ＩＳＯダイアル９の各々の設定値表示をカメラ本体１の設定用目印１ａの位置に回転操作した際に、異なるエンコード信号となるように導電パターン２８を設定することでＩＳＯダイアル９の回転位置を検出する。
【００２５】
クリック機構部は、クリック用凹部１３（図２（ｂ）参照）、ボール１４、及びバネ１５を備える。クリック用凹部１３は、ＩＳＯダイアル９の裏面側に全周にわたって形成されており、ＩＳＯ感度の設定値表示に対応するクリック用凹部１３にバネ１５により付勢されたボール１４が係合することで、ＩＳＯダイアル９がその係合位置で停止しやすくなっている。ここで、ボール１４は、本発明の係合部材の一例に相当し、バネ１５は、本発明の第１付勢部材の一例に相当する。
【００２６】
また、クリック用凹部１３のＩＳＯダイアル９の回転操作方向に互いに対向する各面は、後述する規制面１６（図５（ｂ）参照）を有するクリック用凹部１３を除いて、クリック用凹部１３の底部に向かうに従って次第に間隔が狭くなる傾斜面とされている。
【００２７】
このため、ＩＳＯダイアル９を回転操作することで、傾斜面に押されるボール１４にバネ１５の付勢方向と反対方向の力が加わり、ボール１４がバネ１５の付勢力に抗してクリック用凹部１３から離脱する。そして、離脱したボール１４が互いに隣り合うクリック用凹部１３の間を乗り越えて隣のクリック用凹部１３にバネ１５の付勢力により係合することで、ユーザにクリック感が付与される。
【００２８】
図５（ａ）はＩＳＯダイアル９のＡＵＴＯの設定値表示がカメラ本体１の設定用目印１ａの位置に一致するようにＩＳＯダイアル９を回転操作した状態を示す平面図、図５（ｂ）は図５（ａ）のＡ−Ａ線断面図である。図５（ｃ）は、図５（ａ）の状態でのＩＳＯダイアル９の一部を破断した斜視図である。
【００２９】
図５の状態では、ＩＳＯダイアル９のＡＵＴＯの設定値表示に対応するクリック用凹部１３にバネ１５により付勢されたボール１４が係合している。このため、ＩＳＯダイアル９は、ＡＵＴＯの設定値表示がカメラ本体１の設定用目印１ａに一致する位置で停止しやすくなっている。
【００３０】
また、図５の状態では、ボール１４が係合するクリック用凹部１３のＩＳＯダイアル９の回転操作方向に互いに対向する各面は、上述した傾斜面とされている。このため、ＩＳＯダイアル９を図５（ａ）の反時計回り方向に回転操作することで、傾斜面に押されるボール１４にバネ１５の付勢方向と反対方向の力が加わり、ボール１４がクリック用凹部１３から離脱し、図６に示す状態となる。
【００３１】
図６（ａ）はＩＳＯダイアル９の回転操作によりＡＵＴＯとＩＳＯ３２００との中間部分がカメラ本体１の設定用目印１ａの位置に達した状態を示す平面図、図６（ｂ）は図６（ａ）のＢ−Ｂ線断面図である。図６（ｃ）は、図６（ａ）の状態でのＩＳＯダイアル９の一部を破断した斜視図である。
【００３２】
図６の状態では、クリック用凹部１３から離脱したボール１４が互いに隣り合うクリック用凹部１３の間の平面上に位置しており、従って、ボール１４は、クリック用凹部１３に係合していないため、ＩＳＯダイアル９は停止しにくい状態となっている。この状態で、ＩＳＯダイアル９を図６（ａ）の反時計回り方向に回転操作すると、図７に示す状態となる。
【００３３】
図７（ａ）はＩＳＯダイアル９の回転操作によりＩＳＯ３２００の設定値表示がカメラ本体１の設定用目印１ａの位置に一致した状態を示す平面図、図７（ｂ）は図７（ａ）のＣ−Ｃ線断面図である。図７（ｃ）は、図７（ａ）の状態でのＩＳＯダイアル９の一部を破断した斜視図である。
【００３４】
図７の状態では、ＩＳＯダイアル９のＩＳＯ３２００の設定値表示に対応するクリック用凹部１３にバネ１５により付勢されたボール１４が係合している。このため、ＩＳＯダイアル９は、ＩＳＯ３２００の設定値表示がカメラ本体１の設定用目印１ａに一致する位置で停止しやすくなっている。
【００３５】
ここで、図７の状態では、ボール１４が係合するクリック用凹部１３のＩＳＯダイアル９の回転操作方向に互いに対向する各面のうち、ＡＵＴＯ側の面がバネ１５の付勢方向と略平行な規制面１６とされている。すなわち、規制面１６はＩＳＯダイアル９の回転操作方向に対して、垂直な面となっている。また、クリック用凹部１３のＩＳＯダイアル９の回転操作方向に互いに対向する各面のうち、ＡＵＴＯと反対側の面は、他のクリック用凹部１３と同様に、傾斜面とされている。
【００３６】
従って、図７の状態において、ＩＳＯダイアル９を図７（ａ）の反時計回り方向に回転操作した場合は、傾斜面に押されるボール１４に対してバネ１５の付勢方向と反対方向の力が加わり、ボール１４がクリック用凹部１３から離脱する。
【００３７】
一方、ＩＳＯダイアル９を図７（ａ）の時計回り方向（設定値表示をＩＳＯ３２００からＡＵＴＯに変更する方向）に回転操作した場合は、規制面１６によりボール１４に対してバネ１５の付勢方向と反対方向の力が加わらない。従って、ボール１４は、クリック用凹部１３から離脱することができなくなる。このため、ＩＳＯダイアル９は、設定値表示をＩＳＯ３２００からＡＵＴＯに変更する方向には回転することができない。すなわち、ＩＳＯダイアル９は、規制面１６により、設定値表示をＩＳＯ３２００からＡＵＴＯに変更する一方向のみの回転操作が規制される。
【００３８】
なお、規制面１６の高さは、ボール１４の中心、或いはボール１４の中心を越える高さが望ましい。また、規制面１６は、加工上の容易さから、バネ１５の付勢力の方向と同方向としてあるが、他のクリック用凹部１３の傾斜面と逆向きの傾斜面としてもよい。
【００３９】
以上説明したように、本実施形態では、ＡＵＴＯとＩＳＯ３２００との狭い間隔におけるＩＳＯダイアル９の回転操作において、ＡＵＴＯからＩＳＯ３２００に変更する回転操作は可能であるが、ＩＳＯ３２００からＡＵＴＯに変更する回転操作はできない。このため、ＩＳＯ３２００の設定で撮影しようとした際に、ＩＳＯダイアル９の不用意な回転操作で撮影条件が大きく異なるＡＵＴＯに設定されるのを防ぐことができる。また、ＩＳＯダイアル９が止まるまで時計回り方向に回転操作すれば、ＩＳＯ３２００に設定されるため、目視無しでのＩＳＯ感度の設定が可能となる。これにより、不用意なＩＳＯダイアル９の回転操作による設定ミスや目視せずにＩＳＯダイアル９を回転操作する場合の設定ミスを回避することができるとともに、操作性にも優れた回転操作機構を備えるデジタルカメラを提供することができる。
【００４０】
（第２の実施形態）
次に、図８〜図１２を参照して、本発明の電子機器の第２の実施形態であるデジタルカメラについて説明する。なお、上記第１の実施形態に対して相当又は重複する部分については符号を流用しつつ相違する部分についてのみ説明する。
【００４１】
図８はＩＳＯダイアル１７の分解斜視図、図９（ａ）はＩＳＯダイアル１７の平面図、図９（ｂ）は図９（ａ）のＤ−Ｄ線断面図、図９（ｃ）は図９（ａ）のＥ−Ｅ線断面図である。
【００４２】
本実施形態では、ＩＳＯダイアル１７のＡＵＴＯに対応するクリック用凹部１３のＩＳＯ３２００側の傾斜面及びＩＳＯダイアル１７のＩＳＯ３２００に対応するクリック用凹部１３のＡＵＴＯ側の規制面１６をＩＳＯダイアル１７と別体の規制部材１９に形成する。
【００４３】
図８及び図９に示すように、ＩＳＯダイアル１７は、ダイアルベース１８、規制部材１９、バネ２０、両面テープ２１、及び化粧板２２を備える。規制部材１９は、バネ２０によりバネ１５の付勢方向と反対方向に付勢された状態でダイアルベース１８に組み込まれ、ダイアルベース１８内のストッパ２３に係止される。ダイアルベース１８の表面側には、化粧板２２が両面テープ２１を介して固定され、化粧板２２には、上記第１の実施形態と同様に、ＩＳＯ感度の設定値表示が配置されている。ここで、バネ２０は、本発明の第２付勢部材の一例に相当する。
【００４４】
図１０〜図１２は、ＩＳＯダイアル１７の設定値表示をＡＵＴＯからＩＳＯ３２００に変更したときの状態遷移図である。ここで、バネ２０により規制部材１９に加えられる付勢力は、バネ１５によりボール１４に加えられる付勢力よりも弱く設定される。
【００４５】
図１０（ａ）はＩＳＯダイアル１７のＡＵＴＯの設定値表示がカメラ本体１の設定用目印１ａの位置に一致するようにＩＳＯダイアル１７を回転操作した状態を示す平面図、図１０（ｂ）は図１０（ａ）のＦ−Ｆ線断面図である。図１０（ｃ）は、図１０（ａ）の状態でのＩＳＯダイアル１７の一部を破断した斜視図である。
【００４６】
図１０の状態では、ＩＳＯダイアル１７のＡＵＴＯの設定値表示に対応するクリック用凹部１３にバネ１５により付勢されたボール１４が係合している。このクリック用凹部１３は、ダイアルベース１８の傾斜面と規制部材１９の傾斜面とで形成されている。このため、ＩＳＯダイアル１７は、ＡＵＴＯの設定値表示がカメラ本体１の設定用目印１ａに一致する位置で停止しやすくなっている。
【００４７】
また、図１０の状態では、ボール１４が係合するクリック用凹部１３のＩＳＯダイアル１７の回転操作方向に互いに対向する各面は、上述した傾斜面とされている。このため、ＩＳＯダイアル１７を図１０（ａ）の反時計回り方向に回転操作することで、傾斜面に押されるボール１４にバネ１５の付勢方向と反対方向の力が加わる。また、バネ２０により規制部材１９に加えられる付勢力は、バネ１５によりボール１４に加えられる付勢力よりも常に弱いため、規制部材１９にはバネ２０の付勢方向と反対方向の力が加わる。このとき、規制部材１９は、化粧板２２側に当接した状態となり、この状態では、ダイアルベース１８の傾斜面と規制部材１９の傾斜面とで形成されるクリック用凹部１３は、他のクリック用凹部１３と同形状となる。従って、上記第１の実施形態と同様に、ボール１４がクリック用凹部１３から離脱し、図１１に示す状態となる。
【００４８】
図１１（ａ）はＩＳＯダイアル１７の回転操作によりＡＵＴＯとＩＳＯ３２００との中間部分がカメラ本体１の設定用目印１ａの位置に達した状態を示す平面図、図１１（ｂ）は図１１（ａ）のＧ−Ｇ線断面図である。図１１（ｃ）は、図１１（ａ）の状態でのＩＳＯダイアル１７の一部を破断した斜視図である。
【００４９】
図１１の状態では、クリック用凹部１３から離脱したボール１４が規制部材１９の先端平面上に位置して規制部材１９が化粧板２２側に当接した状態を維持している。従って、ボール１４は、クリック用凹部１３に係合していないため、ＩＳＯダイアル１７は停止しにくい状態となっている。この状態で、ＩＳＯダイアル１７を図１１（ａ）の反時計回り方向に回転操作すると、図１２に示す状態となる。
【００５０】
図１２（ａ）はＩＳＯダイアル１７の回転操作によりＩＳＯ３２００の設定値表示がカメラ本体１の設定用目印１ａの位置に一致した状態を示す平面図、図１２（ｂ）は図１２（ａ）のＨ−Ｈ線断面図である。図１２（ｃ）は、図１２（ａ）の状態でのＩＳＯダイアル１７の一部を破断した斜視図である。
【００５１】
図１２の状態では、ＩＳＯダイアル１７のＩＳＯ３２００の設定値表示に対応するクリック用凹部１３にバネ１５により付勢されたボール１４が係合している。このクリック用凹部１３は、ダイアルベース１８の傾斜面と規制部材１９の規制面１６とで形成されている。規制面１６はＩＳＯダイアル９の回転操作方向に対して、垂直な面となっている。従って、ＩＳＯダイアル１７は、ＩＳＯ３２００の設定値表示がカメラ本体１の設定用目印１ａに一致する位置で停止しやすくなっている。
【００５２】
そして、図１２の状態において、ＩＳＯダイアル１７を図１２（ａ）の反時計回り方向に回転操作した場合は、傾斜面に押されるボール１４に対してバネ１５の付勢方向と反対方向の力が加わり、ボール１４がクリック用凹部１３から離脱する。
【００５３】
一方、ＩＳＯダイアル１７を図１２（ａ）の時計回り方向（設定値表示をＩＳＯ３２００からＡＵＴＯに変更する方向）に回転操作した場合は、規制部材１９の規制面１６によりボール１４に対してバネ１５の付勢方向と反対方向の力が加わらない。また、規制部材１９は、ボール１４からバネ１５の付勢力を受けず、ストッパ２３に当接した状態となるため、ボール１４は、クリック用凹部１３から離脱することができなくなる。このため、ＩＳＯダイアル１７は、設定値表示をＩＳＯ３２００からＡＵＴＯに変更する方向には回転することができない。
【００５４】
なお、図１２の状態では、規制部材１９の高さがボール１４の中心、或いはボール１４の中心を越える高さなるように、ストッパ２３の位置を設定することが好ましい。また、規制部材１９をダイアルベース１８より摩擦係数が高い材質とすることで、ボール１４と規制部材１９との摩擦力が大きくなるため、より高い効果でボール１４がクリック用凹部１３から外れることを防ぐことができる。その他の構成、及び作用効果は、上記第１の実施形態と同様である。
【００５５】
なお、本発明の構成は、上記各実施形態に例示したものに限定されるものではなく、材質、形状、寸法、形態、数、配置箇所等は、本発明の要旨を逸脱しない範囲において適宜変更可能である。
【符号の説明】
【００５６】
１  デジタルカメラ
９，１７  ＩＳＯダイアル
１３  クリック用凹部
１４  ボール
１５  バネ
１６  規制面
１９  規制部材
２０  バネ
【図１】
2013072941.tif 000003
【図２】
2013072941.tif 000004
【図３】
2013072941.tif 000005
【図４】
2013072941.tif 000006
【図５】
2013072941.tif 000007
【図６】
2013072941.tif 000008
【図７】
2013072941.tif 000009
【図８】
2013072941.tif 000010
【図９】
2013072941.tif 000011
【図１０】
2013072941.tif 000012
【図１１】
2013072941.tif 000013
【図１２】
2013072941.tif 000014